(57)【要約】【課題】画像表示装置において、予め定められた所定数の個別表示領域が設定されたテンプレート中に画像を表示させる際の表示品質の低下を抑制する。【解決手段】ユーザ画像Ｇｕと、予め定められた所定数の個別表示領域Ｒｉが設定されたテンプレートＴｐと、サンプル画像Ｇｓとが画像割当部４０に入力される。画像割当部４０は、各ユーザ画像Ｇｕが１つずつ個別表示領域Ｒｉに表示されるように、かつ、テンプレートＴｐ中の全ての個別表示領域Ｒｉにユーザ画像Ｇｕおよびサンプル画像Ｇｓのいずれかが表示されるように、ユーザ画像Ｇｕおよびサンプル画像Ｇｓを個別表示領域Ｒｉに割り当てる。画像合成部５０が、画像割当部４０による割当て結果に応じてサンプル画像Ｇｓとユーザ画像Ｇｕとを合成してなる画像Ｇｕｓを作成し、表示部５５が合成された画像Ｇｕｓを表示する。【選択図】図１
2009237423.tif 000002
【特許請求の範囲】
【請求項１】
ユーザから供給された複数の画像を、予め定められた所定数の個別表示領域が設定されたテンプレート中に表示させる画像表示方法であって、
前記個別表示領域に表示可能なサンプル画像を用意し、
前記ユーザから供給される前記複数の画像が１つずつ前記個別表示領域に表示されるように、かつ、前記テンプレート中の全ての前記個別表示領域に前記ユーザから供給される画像およびサンプル画像のいずれかが表示されるように、該ユーザから供給される画像およびサンプル画像を前記個別表示領域に割り当てることを特徴とする画像表示方法。
【請求項２】
前記テンプレート中の各個別表示領域が、同一形状および同一サイズからなるものであることを特徴とする請求項１記載の画像表示方法。
【請求項３】
前記テンプレートの外形が矩形形状をなすものであり、該テンプレート中の各個別表示領域が、該テンプレートを縦方向に等間隔に分割するとともに横方向にも等間隔に分割して形成される矩形形状をなすものであることを特徴とする請求項１または２記載の画像表示方法。
【請求項４】
前記サンプル画像と前記ユーザから供給される複数の画像とが、両方共に、前記テンプレート中にランダムに配置されたものであことを特徴とする請求項１から３のいずれか１記載の画像表示方法。
【請求項５】
前記サンプル画像が、前記テンプレート中に互に隣り合うように配置されていることを特徴とする請求項１から３のいずれか１記載の画像表示方法。
【請求項６】
前記サンプル画像の表すテーマが、前記ユーザから供給される複数の画像の表すテーマと一致することを特徴とする請求項１から５いずれか１記載の画像表示方法。
【請求項７】
前記サンプル画像が、公衆通信回線を通して取得されたものであることを特徴とする請求項１から６のいずれか１記載の画像表示方法。
【請求項８】
前記サンプル画像が、アートワークを用いて作成されたものであることを特徴とする請求項１から７のいずれか１記載の画像表示方法。
【請求項９】
ユーザから供給された複数の画像を入力するための入力部と、
予め定められた所定数の個別表示領域が設定されたテンプレートを記憶するテンプレート記憶部と、
前記個別表示領域に表示可能なサンプル画像を記憶するサンプル記憶部と、
前記ユーザから供給される前記複数の画像が１つずつ前記個別表示領域に表示されるように、かつ、前記テンプレート中の全ての前記個別表示領域に前記ユーザから供給される画像およびサンプル画像のいずれかが表示されるように、該ユーザから供給される画像およびサンプル画像を前記個別表示領域に割り当てる画像割当部と、
前記画像割当部による割当て結果に応じて、前記ユーザから供給された画像およびサンプル画像が前記テンプレート中の各個別表示領域に表示されるように前記ユーザから供給された画像およびサンプル画像を合成する画像合成部と、
前記合成された画像を表示する表示部とを備えたことを特徴とする画像表示装置。
【発明の詳細な説明】
【技術分野】
【０００１】
本発明は、画像表示方法および装置に関し、詳しくは、ユーザから供給された複数の画像を、予め定められた所定数の個別表示領域が設定されたテンプレート中に表示させる画像表示方法および装置に関するものである。
【背景技術】
【０００２】
従来より、記録媒体等に記録されて供給される多数の画像を、所定数の個別の表示領域が定められたテンプレート中に表示させる手法が知られている（特許文献１参照）。
【０００３】
このように多数の画像を、テンプレート中の所定数の個別表示領域に１つずつ表示させるときには、テンプレート中の個別表示領域の数よりもユーザの用意した画像の数の方が少なくなることがある。そのようなときには、テンプレート中の空欄となった個別表示領域を、例えば、黒色に塗り潰して表示させている。
【特許文献１】特開２００４−２３７６５４号公報
【発明の開示】
【発明が解決しようとする課題】
【０００４】
しかしながら、テンプレート中の空欄を黒く塗り潰して表示させたのでは、デザイン性、あるいは見栄えが低下する虞がある。そのため、テンプレート中の個別表示領域の数よりもユーザの用意した画像の数の方が少なくなったとしても、デザイン性、あるいは見栄えの低下が生じないようにしたいという要請がある。
【０００５】
本発明は、上記事情に鑑みてなされたものであり、テンプレート中に画像を表示させる際の表示品質の低下を抑制することができる画像表示方法および装置を提供することを目的とするものである。
【課題を解決するための手段】
【０００６】
本発明の画像表示方法は、ユーザから供給された複数の画像を、予め定められた所定数の個別表示領域が設定されたテンプレート中に表示させる画像表示方法であって、個別表示領域に表示可能なサンプル画像を用意し、ユーザから供給される複数の画像が１つずつ個別表示領域に表示されるように、かつ、テンプレート中の全ての個別表示領域にユーザから供給される画像およびサンプル画像のいずれかが表示されるように、ユーザから供給される画像およびサンプル画像を個別表示領域に割り当てることを特徴とするものである。
【０００７】
前記テンプレート中の各個別表示領域は、同一形状および同一サイズからなるものとすることができる。
【０００８】
前記テンプレートの外形が矩形形状をなすものとし、テンプレート中の各個別表示領域が、テンプレートを縦方向に等間隔に分割するとともに横方向に等間隔に分割してなる矩形形状をなすものとすることができる。
【０００９】
前記サンプル画像とユーザから供給される画像とは、両方共に、テンプレート中にランダムに配置されていることが望ましい。
【００１０】
前記サンプル画像は、テンプレート中に互に隣り合うように配置されているものとすることができる。
【００１１】
前記サンプル画像の表すテーマは、ユーザから供給される画像の表すテーマと一致するものであることが望ましい。
【００１２】
前記サンプル画像は、公衆通信回線を通して取得されたものとすることができる。
【００１３】
前記サンプル画像は、アートワークを用いて作成されたものとすることができる。
【００１４】
なお、「画像の表すテーマが一致する」とは、それぞれの画像が、同じような特徴を持つ被写体から構成される画像であることを意味するものであり、例えば、テーマをポートレートとした場合には、画面内の中央に人の顔が大きく表示されるという特徴を持つ画像がテーマが一致する画像であり、また、例えば、画像の表すテーマを夜とした場合には、全体的に暗く表示されるという特徴を持つ画像がテーマが一致する画像となる。
【００１５】
また、アートワークは、画像作成用アプリケーションによって作成される画像を意味するものである。例えば、アートワークとしては、グラフィックスソフトやCADソフト（機構CADやプリント基板CAD）によって作成される画像等が挙げられる。
【００１６】
本発明の画像表示装置は、ユーザから供給された複数の画像を入力するための入力部と、予め定められた所定数の個別表示領域が設定されたテンプレートを記憶するテンプレート記憶部と、個別表示領域に表示可能なサンプル画像を記憶するサンプル記憶部と、ユーザから供給される前記複数の画像が１つずつ前記個別表示領域に表示されるように、かつ、テンプレート中の全ての個別表示領域にユーザから供給される画像およびサンプル画像のいずれかが表示されるように、そのユーザから供給される画像およびサンプル画像を個別表示領域に割り当てる画像割当部と、画像割当部による割当て結果に応じて、前記ユーザから供給された画像およびサンプル画像がテンプレート中の各個別表示領域に表示されるようにそれらのユーザから供給された画像およびサンプル画像を合成する画像合成部と、合成された画像を表示する表示部とを備えたことを特徴とするものである。
【発明の効果】
【００１７】
本発明の画像表示方法および装置によれば、ユーザから供給された複数の画像を、予め定められた所定数の個別表示領域が設定されたテンプレート中に表示させる画像表示方法であって、個別表示領域に表示可能なサンプル画像を用意し、ユーザから供給される複数の画像が１つずつ個別表示領域に表示されるように、かつ、テンプレート中の全ての個別表示領域にユーザから供給される画像およびサンプル画像のいずれかが表示されるように、ユーザから供給される画像およびサンプル画像を個別表示領域に割り当てるようにしたので、テンプレート中に画像を表示させる際の表示品質の低下を抑制することができる。
【００１８】
すなわち、テンプレート中の個別表示領域の数よりもユーザの用意した画像の数の方が少なくなったとしても、空欄となった個別表示領域を塗り潰す等のことによるデザイン性や見栄えの低下を生じさせることなく表示することができる。
【００１９】
また、テンプレート中の各個別表示領域を、同一形状および同一サイズからなるものとしたり、さらに、テンプレートの外形を矩形形状をなすものとし、このテンプレート中の各個別表示領域を、テンプレートを縦方向に等間隔に分割するとともに横方向にも等間隔に分割して形成された矩形形状をなすものとすれば、表示品質の低下を抑制する効果をより確実に奏することができる。
【００２０】
なお、サンプル画像とユーザから供給される画像とが、両方共に、テンプレート中にランダムに配置されるようにしたり、サンプル画像の表すテーマを、ユーザから供給される画像の表すテーマと一致するものとすれば、テンプレート中に画像を表示させる際の表示品質の低下をより確実に抑制することができる。
【００２１】
また、サンプル画像を、公衆通信回線を通して取得されたものとしたり、アートワークを用いて作成されたものとすれば、より容易にサンプル画像を得ることができる。
【発明を実施するための最良の形態】
【００２２】
以下、本発明の実施の形態について、図面を用いて説明する。図１は本発明の実施の形態による画像表示方法を実施する装置の一例を示すブロック図、図２は本発明の実施の形態による画像表示方法を実施する際のフローチャートを示す図、図３はテンプレート中にユーザから供給された画像のみを配置した様子を示す図、図４はテンプレート中にユーザから供給された画像およびサンプル画像を配置した様子を示す図である。
【００２３】
また、図５は、ユーザ画像またはサンプル画像を１つずつ各個別表示領域に表示させた様子を示す図、図６は、ユーザ画像を１つずつ各個別表示領域に表示させ、サンプル画像については、横長のサンプル画像を２つ分の個別表示領域に表示させた様子を示す図である。
【００２４】
図１に示す本発明の実施の形態による画像表示方法を実施する画像表示装置１００は、ユーザから供給されるユーザ画像を表す画像データを入力するための入力部１０と、予め定められた所定数の個別表示領域が設定された複数種類のテンプレートを記憶するテンプレート記憶部２０と、サンプル画像を表す画像データを記憶するサンプル記憶部３０と、インターネット等の公衆通信回線を利用してサンプル画像を表す画像データを取得するサンプル取得部３５と、ユーザ画像およびサンプル画像をテンプレートの個別表示領域に割り当てる画像割当部４０と、ユーザ画像およびサンプル画像を画像割当部４０による割当て結果に応じて１つの画像に合成する画像合成部５０と、合成された画像を印刷し出力するプリント部５５とを備えている。
【００２５】
すなわち、この画像表示方法は、ユーザから供給された複数の画像が、予め定められた所定数の個別表示領域の設定されたテンプレート中に表示されるようにプリント用紙に印刷して表示するものである。
【００２６】
画像割当部４０は、ユーザから供給された各ユーザ画像が１つずつテンプレートの個別表示領域に表示されるとともに、テンプレート中の全ての個別表示領域にユーザ画像およびサンプル画像のいずれかが表示されるように、ユーザ画像およびサンプル画像を個別表示領域に割り当てるものである。
【００２７】
本発明の画像表示方法は上記画像表示装置を用いて以下のように実施される。
【００２８】
ユーザから供給される１６個のユーザ画像Ｇｕを表すユーザ画像データＤｕが入力部１５を介して画像割当部４０に入力される（Ｓｔｅｐ１：図２参照）。
【００２９】
また、ユーザの指示により、テンプレート記憶部２０に記憶されている複数のテンプレートのうちの１つであるテンプレートＴｐが画像割当部４０に入力される（Ｓｔｅｐ２）。ここでは、このテンプレートＴｐは２０個の個別表示領域Ｒｉ（ｉ＝１〜２０）を持つものとする。
【００３０】
ユーザの指示により、サンプル取得部３５がインターネットを経由して複数のサンプル画像データを取得する。取得したサンプル画像データはサンプル記憶部３０に記憶される（Ｓｔｅｐ３）。
【００３１】
ここでは、ユーザから供給される画像と同じテーマ、例えば子供をテーマとする画像を表すサンプル画像データが取得される。
【００３２】
なお、サンプル記憶部３０には、サンプル取得部３５で取得したサンプル画像データを記憶させる場合に限らず、ユーザの用意したサンプル画像データを記憶させるようにしてもよい。
【００３３】
さらに、ユーザの指示により、サンプル記憶部３０に記憶されたサンプル画像データのうち、利用するサンプル画像Ｇｓを表すサンプル画像データＤｓが選択され画像割当部４０に入力される（Ｓｔｅｐ４）。
【００３４】
上記ユーザ画像データＤｕと、テンプレートＴｐと、サンプル画像データＤｓとが入力された画像割当部４０は、ユーザ画像データＤｕの表す複数のユーザ画像ＧｕがテンプレートＴｐ中の個別表示領域Ｒｉに１つずつ表示されるように、かつ、このテンプレートＴｐ中の全ての個別表示領域Ｒｉにサンプル画像Ｇｓおよびユーザ画像Ｇｕのいずれかが表示されるように、個別表示領域Ｒｉ（ｉ＝１〜２０）中にサンプル画像Ｇｓおよびユーザ画像Ｇｕを割り当てる。
【００３５】
ここでは、はじめに図３に示すように、個別表示領域Ｒ８、Ｒ１４、Ｒ１６、Ｒ１７以外の個別表示領域にユーザ画像Ｇｕが割り当てられる（Ｓｔｅｐ５）。
【００３６】
次に、図４に示すように、空欄となっている個別表示領域Ｒ８、Ｒ１４、Ｒ１６、Ｒ１７にサンプル画像Ｇｓが割り当てられる（Ｓｔｅｐ５）。
【００３７】
画像合成部５０は、画像割当部４０によるサンプル画像Ｇｓおよびユーザ画像Ｇｕの割当て結果に応じてテンプレートＴｐ上に各画像が表示される合成画像Ｇｕｓを表す合成画像データＤｕｓを生成する（Ｓｔｅｐ６）。
【００３８】
プリント部５５は上記合成された合成画像データＤｕｓの表す合成画像Ｇｕｓをプリント用紙にプリントし出力する（Ｓｔｅｐ７）。
【００３９】
なお、子供をテーマとするユーザ画像をテンプレート中に表示するより具体的な例について説明する。
【００４０】
図５に示すように、用意された子供の顔を表すユーザ画像および「子供」をテーマとするサンプル画像を用い、ユーザ画像やサンプル画像を１つずつ各個別表示領域に表示させる合成画像Ｇｕｓを作成することにより、デザイン性、あるいは見栄えの低下を生じさせることなく、テンプレート中に画像を表示させることができる。
【００４１】
なお、図５に示すように、サンプル画像として、インターネットを経由して取得した画像に文字を挿入してなる画像を採用することもできる。
【００４２】
また、上記と同様に、用意された子供の顔を表すユーザ画像および「子供」をテーマとするサンプル画像を用いる場合に、図６に示すように、互に隣り合う個別表示領域である個別表示領域Ｒ１６、Ｒ１７に表示させるサンプル画像について、横長で文字が挿入されたサンプル画像を２つ分の個別表示領域Ｒ１６、Ｒ１７に表示させるように合成画像Ｇｕｓを作成することもできる。このように、１つの画像を、複数の互に隣接する個別表示領域に亘って表示させるようにサンプル画像の表示領域を割り当てても、デザイン性、あるいは見栄えの低下を生じさせることなくテンプレート中に画像を表示させる効果を奏することができる。
【００４３】
なお、サンプル画像としては、インターネットを通して取得したアートワークを採用してもよい。より具体的には、特定の楽曲に係るアーティストに関連した画像、あるいは文字情報（アーティスト名、楽曲名）が標記された画像等をサンプル画像に採用してもよい。文字の標記された画像は横長になる場合があるが、そのような場合には、横長の画像を２個分、あるいは３個分の連続する個別表示領域に表示されるようにサンプル画像を割り当てることができる。
【００４４】
上記のように、本発明によれば、テンプレート中に画像を表示させる際の表示品質の低下を抑制することができる。
【００４５】
なお、テンプレート中の各個別表示領域は、上記のように同一形状および同一サイズからなるものであってもよいが、そのような場合に限らず、個別表示領域として形状の異なるものやサイズの異なるものを含むテンプレートを採用するようにしてもよい。
【００４６】
また、テンプレート中の各個別表示領域は、上記のように全体の表示領域を縦方向に等間隔に分割するとともに横方向に等間隔に分割して形成された矩形形状をなすものとしてもよいが、そのような場合に限るものではない。
【００４７】
また、サンプル画像とユーザ画像とは両方共に、テンプレート中にランダムに配置されいているものとすることが望ましい。
【００４８】
なお、サンプル画像は、テンプレート中に互に隣り合うように配置してもよいし、互に隣り合わないように配置してもよい。
【００４９】
ここで、サンプル画像の表すテーマは、上記のようにユーザから供給される画像の表すテーマと一致するものとしてもよいが、そのような場合に限らない。
【００５０】
また、サンプル画像は、上記のように公衆通信回線を通して取得されたものとしてもよいが、そのような場合に限るものではない。
【００５１】
本発明の画像受付方法は以下のように実施するようにしてもよい。なお、以下の説明は上記記載内容と一部重複する部分もある。
【００５２】
ユーザから供給される画像が配置されないテンプレート中の空きコマ（個別表示領域）には、ユーザから供給される画像のテーマと関係ある画像や文字を配置することが好ましい。すなわち、サンプル画像には、ユーザから供給される画像のテーマと関係ある画像や文字を採用することが好ましい。
【００５３】
また、上記空きコマ（個別表示領域）を連結してスペースを大きくすることで、より大きな画像や長文の文字入力に対応することができる。
【００５４】
空きコマにサンプル画像を配置する場合について、図７に示すフローチャートを参照して説明する。
【００５５】
はじめに、ユーザにより入力されるユーザ画像を選択する（Ｓｔｅｐ１）。
【００５６】
つぎに、ユーザ画像の数とテンプレート中の個別表示領域の数とが一致する場合には、これらのユーザ画像を用いて画像を合成する後述のＳｔｅｐ８へ移行する。一方、テンプレート中の個別表示領域の数よりユーザ画像の数の方が少ない場合には、次のＳｔｅｐ３に移行する（Ｓｔｅｐ２）。
【００５７】
ここで、テンプレート中に生ずる空きコマ数Ｎを算出する（Ｓｔｅｐ３）。
【００５８】
さらに、空きコマに追加して合成する画像または文字を設定する（Ｓｔｅｐ４）。
【００５９】
次に、追加して合成する画像または文字を１コマ分の空きスペースに合成可能な場合には後述するＳｔｅｐ６に移行する。また、追加して合成する画像または文字を１コマ分の空きスペースに合成可能ではない場合には後述するＳｔｅｐ７に移行する（Ｓｔｅｐ５）。
【００６０】
ここで、Ｓｔｅｐ５での判定に応じて、各空きコマを１コマ単位でランダムに配置する（Ｓｔｅｐ６）。
【００６１】
また、Ｓｔｅｐ５での判定に応じて、空きコマを連結して配置する（Ｓｔｅｐ７）。
【００６２】
なお、空きコマを連結して配置する場合には、追加する画像や文字に応じて空きコマを連結する方向（縦方向、または横方向）を決定する。縦長の画像を合成したり、日本語を縦書きで合成する場合には縦に連結する。
【００６３】
最後に、ユーザ画像と空きコマに配置するサンプル画像である追加の画像や文字を合成する（Ｓｔｅｐ８）。
【００６４】
以下に、アートワークを用いたシャッフルプリントについて説明する。
【００６５】
図８は、既存技術で作成したシャッフルプリントを示す図である。このシャッフルプリントＳｐ１は、あるテーマに関してユーザが選択した画像をランダムに配置してプリントしたものである。一方、以下に説明する本発明を適用したシャッフルプリントは、空きコマに表示させるサンプル画像にアートワークを利用するものである。
【００６６】
アートワークの１例としては、携帯型音楽プレーヤのように各曲に対して表示させるアートワーク（アルバムジャケットの写真のようなもの）を採用することができる。このようなアートワークとしては、メーカが提供しているものや、自分の好みの画像を設定することが可能である。携帯型音楽プレーヤでは、例えば、ＪＰＥＧ；サイズ：１６８×１６８〜４２０×４２０の形式でアートワークが保存可能である。
【００６７】
このようなアートワークを用いて、図９に示すようなシャッフルプリントの作成が可能である。ここでは、図９に示すように、テンプレートの中心部ＴｃにアートワークＡｗを配置し、周囲部ＴｓにアートワークＡｗに相応しいユーザ画像Ｇｕ、またはアートワークＡｗに合うように画像処理を施したユーザ画像Ｇｕを配置して合成したシャッフルプリントＳｐ２を作成することができる。
【００６８】
通常のシャッフルプリントとの違いは、以下のようである。
【００６９】
通常のシャッフルプリントは、ユーザ画像がメインの画像となる。
【００７０】
一方、アートワークを利用したシャッフルプリントは、アートワークがメインの画像となる。自分が好きなアーティストの写真とユーザ画像とを組み合わせて魅力あるプリント（印刷物）を作成することができる。
【００７１】
なお、アートワークに各種情報を付随させるようにしてもよい。例えば、アーティスト名、曲/アルバムのタイトル、歌詞、アーティストに関する画像等をアートワークに付随させるようにしてもよい。このように、本発明を適用したシャッフルプリントは効果的に空きコマを活用することができる。
【００７２】
次に、ユーザの好みによって選択されたアートワーク（サンプル画像）に応じてユーザ画像の数を決定する場合について、図１０のフローチャートを用いて説明する。
【００７３】
はじめに、４８コマ分の個別表示領域を有するテンプレートを選択する（Ｓｔｅｐ１）。
【００７４】
次に、使用するアートワーク（サンプル画像）を選択する（Ｓｔｅｐ２）。
【００７５】
つづいて、アートワーク情報を得る（Ｓｔｅｐ３）。例えば、アートワーク情報として、アートワーク画像、曲名、あるいはアーティスト名などをインターネット等から取得する。
【００７６】
さらに、上記取得したアートワーク情報を表示させるために必要なコマ数（個別表示領域の数）を算出する（Ｓｔｅｐ４）。ここでは、アートワーク画像用に１コマ、タイトル用に３コマ、アーティスト名用に２コマの合計６コマ分が必要となる。すなわち、サンプル画像Ｇｓ用に６コマ分が必要となる。
【００７７】
次に、適用するユーザ画像の枚数を算出する（Ｓｔｅｐ５）。ここでは、４２コマ分（４８−６＝４２）が、ユーザ画像の必要コマ数となる。
【００７８】
つぎに、４２コマ分のユーザ画像Ｇｕを選択する（Ｓｔｅｐ６）。
【００７９】
最後に、６コマ分のサンプル画像Ｇｓであるアートワークと、４２コマ分のユーザ画像Ｇｕとを合成して、図１１に示すようなシャッフルプリントＰｓ３が得られる。
【００８０】
以下、楽曲の歌詞情報の利用について、図１２に示すフローチャートを参照して説明する。上記のように、アートワークから、曲名、アーティスト名を取得する以外に、アートワークから、空きコマ数に応じた長さの歌詞を取得してシャッフルプリントを作成することもできる。
【００８１】
はじめに、テンプレートを選択する（Ｓｔｅｐ１）。
【００８２】
次に、アートワークを選択する（Ｓｔｅｐ２）。
【００８３】
つづいて、歌詞を含むアートワーク情報を選択する（Ｓｔｅｐ３）。
【００８４】
さらに、アートワーク情報をテンプレート中に配置するために必要なコマ数（サンプル画像用のコマ数）を算出する（Ｓｔｅｐ４）。
【００８５】
ここで、ユーザ画像の表示に必要なコマ数を算出する（Ｓｔｅｐ５）。
【００８６】
次に、ユーザ画像を選択する（Ｓｔｅｐ６）。
【００８７】
つづいて、ユーザ画像が足りているか否かを判定する。ユーザ画像が足りており、テンプレート中に空きコマが無い状態のときには後述するＳｔｅｐ９に移行する。ユーザ画像が不足しているときには後述するＳｔｅｐ８に移行する。
【００８８】
ユーザ画像が不足しているときには、空きコマ数に応じた情報量を持つ歌詞を取得しテンプレート中に空きコマが無い状態とする（Ｓｔｅｐ８）。
【００８９】
最後に、テンプレート中に空きコマが無い状態において、ユーザ画像とサンプル画像とを合成してなるシャッフルプリントを作成しプリント（印刷）する。
【００９０】
このように、空きコマの数に応じた長さの歌詞情報を取得することで、任意の数の空きコマに歌詞情報を配置することができる。
【００９１】
上記説明では、アートワークを主体に説明しているが、本発明は、テンプレートに表示させる画像としてアートワークを採用する場合に限定するものではない。
【００９２】
例えば、図１３に示すように「テーマパーク」をテーマにした画像Ｇｚを扱う場合でも、その「テーマパーク」に係る歌詞情報を保持していれば、同様の処理が可能である。
【００９３】
直接関連する曲や歌詞が存在しないテーマ、例えば「子供の写真」等の場合、「子供」というキーワードを利用して、「子供」に関連する楽曲を関連付けてもよい。
【００９４】
また、歌詞に限らず、様々な文字列のキーワードを予め保持しておけば、どのような空きコマ数にも対応可能となる。
【００９５】
以下に、アートワーク情報における関連付けと、他の情報における関連付けとを示す。
【００９６】
例えば、アートワークでは、タイトルが曲名に対応する。また、文字列が、アーティスト名や歌詞（空きコマ数に応じて任意の長さで取得可能）やそれに関連する文字列に対応する。さらに、画像が、アーティストの画像に対応する。
【００９７】
例えば、アートワーク以外では、例えば、タイトルが、テーマパーク名に対応する。また、文字列が、テーマパークのテーマ曲（空きコマ数に応じて任意の長さで取得可能）やそれに関連する文字列に対応する。さらに、画像が、テーマパーク関連画像に対応する。
【図面の簡単な説明】
【００９８】
【図１】本発明の実施の形態による画像表示方法を実施する構成を示すブロック図
【図２】本発明の実施の形態による画像表示方法を示すブロック図
【図３】テンプレート中にユーザ画像のみを配置した様子を示す図
【図４】テンプレート中にユーザ画像およびサンプル画像を配置した様子を示す図
【図５】ユーザ画像またはサンプル画像を１つずつ各個別表示領域に表示させた様子を示す図
【図６】横長のサンプル画像を２つ分の個別表示領域に表示させた様子を示す図
【図７】空きコマにサンプル画像を配置する場合のフローチャートを示す図
【図８】既存技術で作成したシャッフルプリントを示す図
【図９】テンプレートの中心部にアートワークを配置たシャッフルプリントを示す図
【図１０】アートワークに応じてユーザ画像の数を決定するフローチャートを示す図
【図１１】アートワークに応じてユーザ画像の数を決定して作成したシャッフルプリントを示す図
【図１２】楽曲の歌詞情報を利用する場合のフローチャートを示す図
【図１３】「テーマパーク」をテーマにした画像を示す図
【符号の説明】
【００９９】
１０    入力部
２０    テンプレート記憶部
３０    サンプル記憶部
４０    画像割当部
５０    画像合成部
５５    表示部
Ｇｕ    ユーザ画像
Ｒｉ    個別表示領域
Ｔｐ    テンプレート
Ｇｓ    サンプル画像
【図１】
2009237423.tif 000003
【図２】
2009237423.tif 000004
【図３】
2009237423.tif 000005
【図４】
2009237423.tif 000006
【図５】
2009237423.tif 000007
【図６】
2009237423.tif 000008
【図７】
2009237423.tif 000009
【図８】
2009237423.tif 000010
【図９】
2009237423.tif 000011
【図１０】
2009237423.tif 000012
【図１１】
2009237423.tif 000013
【図１２】
2009237423.tif 000014
【図１３】
2009237423.tif 000015